(57)【要約】  ａ）ジアルキルメチルグルタラート、およびジアルキルアジパートまたはジアルキルエチルスクシナートのうちの少なくとも１つを含む二塩基酸エステルのブレンドと；ｂ）少なくとも１種のテルペンと；ｃ）少なくとも１種の界面活性剤と、を含む重油洗浄組成物。同じく、重油を洗浄する混合物を得るために、ａ）テルペン系溶媒を得るステップと；ｂ）テルペン系溶媒を担体液（担体液は、ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；ii）テルペンアルコキシラート、アルコールアルコキシラートおよび任意のそれらの組み合わせからなる群より選択される少なくとも１種の界面活性剤と；iii）水と、のマイクロエマルジョンを含む）と混合するステップと、を含む低濃度の溶媒を送達する方法が、記載される。【選択図】なし
2013544947.tif 000002
【特許請求の範囲】
【請求項１】
汚染された基板を洗浄し得るすすぎ可能な混合物を形成させるために、
ａ）少なくとも１種のテルペン系溶媒を得るステップと；
ｂ）テルペン系溶媒を、
ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；
ii）テルペンアルコキシラート、アルコールアルコキシラートおよび任意のそれらの組み合わせからなる群より選択される少なくとも１種の界面活性剤と；
iii）水と、
のマイクロエマルジョンを含む溶媒エクステンダーと混合するステップと、
を含む、低いテルペン系溶媒濃度のテルペン系溶媒を調製する方法。
【請求項２】
少なくとも１種のテルペン系溶媒が、ｄ−リモネンを含む、請求項１に記載の方法。
【請求項３】
前記混合物が、少なくとも１種のテルペン系溶媒対溶媒エクステンダーがそれぞれ１：５〜１：１である、テルペン系溶媒対溶媒エクステンダーの重量比を特徴とする、請求項１に記載の方法。
【請求項４】
前記混合物が、少なくとも１種のテルペン系溶媒対溶媒エクステンダーがそれぞれ１：３〜１：１である、テルペン系溶媒対溶媒エクステンダーの重量比を特徴とする、請求項１に記載の方法。
【請求項５】
前記混合物が、少なくとも１種のテルペン系溶媒対溶媒エクステンダーがそれぞれ１：２〜１：１である、テルペン系溶媒対溶媒エクステンダーの重量比を特徴とする、請求項１に記載の方法。
【請求項６】
二塩基酸エステルのブレンドが、ジアルキルメチルグルタラートおよびジアルキルエチルスクシナートを含む、請求項１に記載の方法。
【請求項７】
少なくとも１種の界面活性剤が、式：
【化１】
2013544947.tif 000023
（式中、Ｒ７は、水素、または炭素原子を約５〜約２５個含む分枝鎖もしくは直鎖炭化水素鎖であり；Ｒ８は、水素、または炭素原子を約１〜約５個含む炭化水素鎖であり；−−ｎ−−は、約１〜約３０の整数である）で示される、請求項１に記載の方法。
【請求項８】
ａ）ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；
ii）テルペンアルコキシラート、アルコールアルコキシラートおよび任意のそれらの組み合わせからなる群より選択される少なくとも１種の界面活性剤と；
iii）水と、
のマイクロエマルジョンを含む溶媒エクステンダーと；
ｂ）少なくとも１種のテルペン系溶媒と；
ｃ）水と、
を含み、すすぎ可能である、洗浄組成物。
【請求項９】
少なくとも１種のグリコールエーテル、少なくとも１種のアルカノールアミン、少なくとも１種のポリオール、少なくとも１種のスルホスクシナート、および任意のそれらの組み合わせからなる群より選択される成分を更に含む、請求項８に記載の洗浄組成物。
【請求項１０】
少なくとも１種のテルペン系溶媒対溶媒エクステンダーがそれぞれ１：５〜１：１である、テルペン系溶媒対溶媒エクステンダーの重量比を特徴とする、請求項８に記載の組成物。
【請求項１１】
少なくとも１種のテルペン系溶媒対溶媒エクステンダーがそれぞれ１：３〜１：１である、テルペン系溶媒対溶媒エクステンダーの重量比を特徴とする、請求項８に記載の組成物。
【請求項１２】
少なくとも１種のテルペン系溶媒対溶媒エクステンダーがそれぞれ１：２〜１：１である、テルペン系溶媒対溶媒エクステンダーの重量比を特徴とする、請求項８に記載の組成物。
【請求項１３】
二塩基酸エステルのブレンドが、
（ｉ）ブレンドの重量の約５〜２５％の、式：
【化２】
2013544947.tif 000024
で示される第一の二塩基酸エステルと；
（ii）ブレンドの重量の約７０〜９５％の、式：
【化３】
2013544947.tif 000025
で示される第二の二塩基酸エステルと；
（iii）ブレンドの重量の約０〜５％の、式：
【化４】
2013544947.tif 000026
（式中、Ｒ１およびＲ２は、個別に、Ｃ１〜Ｃ１３アルキル、Ｃ１〜Ｃ１３アリール、Ｃ１〜Ｃ１３アルカリール、Ｃ１〜Ｃ１３アルコキシ、Ｃ１〜Ｃ１３アルキルアリールアルキル、Ｃ１〜Ｃ１３アリールアルキル、Ｃ１〜Ｃ１３アルキルアミドアルキルまたはＣ１〜Ｃ１３アルキルアミノアルキルから選択される炭化水素基である）で示される第三の二塩基酸エステルと、
を含む、請求項８に記載の組成物。
【請求項１４】
少なくとも１種のテルペン系溶媒が、αピネン系溶媒、βピネン系溶媒、ｄ−リモネン系溶媒、ｏｃ−ピネン系溶媒、それらの誘導体および任意のそれらの組み合わせからなる群より選択される、請求項８に記載の洗浄組成物。
【請求項１５】
（ａ）請求項８に記載に記載の洗浄組成物を提供すること；
（ｂ）洗浄組成物を、タールサンド、ビチューメン、アスファルテン、油、または任意のそれらの組み合わせを含む汚染物質で汚れた表面に接触させること；および
（ｃ）すすぎにより、表面から汚染物質を除去すること、
を含む、タールサンド、ビチューメン、アスファルテン、油、または任意のそれらの組み合わせで汚れた表面を洗浄する方法。
【請求項１６】
ａ）少なくとも１種のテルペン系溶媒と；
ｂ）ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；
ii）テルペンアルコキシラート、アルコールアルコキシラートおよび任意のそれらの組み合わせからなる群より選択される少なくとも１種の界面活性剤と；
iii）水と、
のマイクロエマルジョンを含む溶媒エクステンダーと；
ｃ）少なくとも１種のグリコールエーテルと；
ｄ）少なくとも１種のアルカノールアミンと；
ｅ）少なくとも１種のポリオールと；
ｆ）少なくとも１種のスルホスクシナートと；
ｇ）場合により水と、
を含む、すすぎ可能な重油洗浄組成物。
【請求項１７】
少なくとも１種のグリコールエーテルが、アルキルグリコールエーテル、ジエチレングリコールブチルエーテル（ＤＧＢＥ）、エチレングリコールモノメチルエーテル（ＣＨ３ＯＣＨ２ＣＨ２ＯＨ）、エチレングリコールモノエチルエーテル（ＣＨ３ＣＨ２ＯＣＨ２ＣＨ２ＯＨ）、エチレングリコールモノプロピルエーテル（ＣＨ３ＣＨ２ＣＨ２ＯＣＨ２ＣＨ２ＯＨ）、エチレングリコールモノイソプロピルエーテル（（ＣＨ３）２ＣＨＯＣＨ２ＣＨ２ＯＨ）、エチレングリコールモノブチルエーテル（ＣＨ３ＣＨ２ＣＨ２ＣＨ２ＯＣＨ２ＣＨ２ＯＨ）、エチレングリコールモノフェニルエーテル（Ｃ６Ｈ５ＯＣＨ２ＣＨ２ＯＨ）、エチレングリコールモノベンジルエーテル（２−ベンジルオキシエタノール、Ｃ６Ｈ５ＣＨ２ＯＣＨ２ＣＨ２ＯＨ）、ジエチレングリコールモノメチルエーテル（ＣＨ３ＯＣＨ２ＣＨ２ＯＣＨ２ＣＨ２ＯＨ）、ジエチレングリコールモノエチルエーテル（ＣＨ３ＣＨ２ＯＣＨ２ＣＨ２ＯＣＨ２ＣＨ２ＯＨ）、ジエチレングリコールモノ−ｎ−ブチルエーテル（ＣＨ３ＣＨ２ＣＨ２ＣＨ２ＯＣＨ２ＣＨ２ＯＣＨ２ＣＨ２ＯＨ）および任意のそれらの組み合わせからなる群より選択される、請求項１６に記載のすすぎ可能な重油洗浄組成物。
【請求項１８】
少なくとも１種のテルペン系溶媒が、αピネン系溶媒、βピネン系溶媒、ｄ−リモネン系溶媒、ｏｃ−ピネン系溶媒、それらの誘導体および任意のそれらの組み合わせからなる群より選択される、請求項１６に記載のすすぎ可能な重油洗浄組成物。
【請求項１９】
少なくとも１種のスルホスクシナートが、アルキルスルホスクシナート、アルキルスルホン酸ナトリウム、ジアルキルスルホスクシナートおよび任意のそれらの組み合わせからなる群より選択される、請求項１６に記載のすすぎ可能な重油洗浄組成物。
【請求項２０】
二塩基酸エステルのブレンドが、
（ｉ）ブレンドの重量の約５〜２５％の、式：
【化５】
2013544947.tif 000027
で示される第一の二塩基酸エステルと；
（ii）ブレンドの重量の約７０〜９５％の、式：
【化６】
2013544947.tif 000028
で示される第二の二塩基酸エステルと；
（iii）ブレンドの重量の約０〜５％の、式：
【化７】
2013544947.tif 000029
（式中、Ｒ１およびＲ２は、個別に、Ｃ１〜Ｃ１３アルキル、Ｃ１〜Ｃ１３アリール、Ｃ１〜Ｃ１３アルカリール、Ｃ１〜Ｃ１３アルコキシ、Ｃ１〜Ｃ１３アルキルアリールアルキル、Ｃ１〜Ｃ１３アリールアルキル、Ｃ１〜Ｃ１３アルキルアミドアルキルまたはＣ１〜Ｃ１３アルキルアミノアルキルから選択される炭化水素基である）で示される第三の二塩基酸エステルと、
を含む、請求項１６に記載のすすぎ可能な重油洗浄組成物。
【請求項２１】
Ｒ１およびＲ２が、個別に、メチル、エチル、プロピル、イソプロピル、ｎ−ブチル、ペンチル、イソアミル、ヘキシル、ヘプチルまたはオクチルから選択される炭化水素基である、請求項２０に記載のすすぎ可能な重油洗浄組成物。
【請求項２２】
スルホスクシナートが、式（Ｉ）：
【化８】
2013544947.tif 000030
（式中、Ｒ２は、アルキル、−ＣＨ２ＣＨ２ＯＨ、アリール、アルカリール、アルコキシ、アルキルアリールアルキル、アリールアルキル、アルキルアミドアルキルおよびアルキルアミノアルキルからなる群より選択され；−−Ｍ＋−−は、水素、アルカリ金属、ナトリウム、カリウムまたはアンモニウム塩である）で示される、請求項１６に記載のすすぎ可能な重油洗浄組成物。
【請求項２３】
離層剤（deliminatate）、緩衝剤、芳香剤、香料、消泡剤、染色剤、増白剤、漂白剤、可溶化材料、安定化剤、増粘剤、腐食防止剤、ローション、鉱物油、酵素、曇点調節剤、粒子、防腐剤、イオン交換剤、キレート化剤、泡制御剤、汚染除去剤、柔軟剤、不透明化剤、不活性希釈剤、灰化防止剤（graying inhibitors）、安定化剤、ポリマーおよび任意のそれらの組み合わせからなる群より選択される１種以上の添加剤を更に含む、請求項１６に記載のすすぎ可能な重油洗浄組成物。
【請求項２４】
ａ）組成物の重量の約１０％〜約５０％の、少なくとも１種のテルペン系溶媒と；
ｂ）組成物の重量の約１％〜約５０％の溶媒エクステンダーと；
ｃ）組成物の重量の約０．１％〜約７％の、少なくとも１種のグリコールエーテルと；
ｄ）組成物の重量の約０．１％〜約７％の、少なくとも１種のアルカノールアミンと；
ｅ）組成物の重量の約０．１％〜約７％の、少なくとも１種のポリオールと；
ｆ）組成物の重量の約１％〜約３５％の、少なくとも１種のスルホスクシナートと；
ｇ）場合により、組成物の重量の約１％〜約６０％の水と、
を含む、請求項１６に記載のすすぎ可能な重油洗浄組成物。
【発明の詳細な説明】
【技術分野】
【０００１】
関連出願の相互参照
本願は、本明細書に参照により組み入れられた、２０１０年１２月１０日出願の米国特許仮出願第６１／４５９，２８１号の利益を主張するものである。
【０００２】
発明の分野
本発明は、例えばタール、ビチューメン、アスファルテン、アスファルテン含有物質、任意のそれらの組み合わせなどにより汚れた洗浄表面および採鉱設備において使用される新規な二塩基酸エステルを含有する組成物に関する。
【背景技術】
【０００３】
発明の背景
幾つかの市販製品は、オレンジなどの天然由来生成物から誘導されるｄ−リモネンまたはピネンを含有する。ｄ−リモネンは、複数の脱脂および／または洗浄配合剤中で、特にアスファルテンおよび重原油残渣を洗浄する際に、広範に用いられる。ｄ−リモネンは、天然供給原料または供給源から誘導されるが、可燃性であり、有害な水性生物毒性（汚染物質）を有する。その上、それは天然の供給源または供給原料に基づくため、テルペンおよび特にｄ−リモネンは、季節的収穫量に応じて、価格変動および利用制限を受ける場合がある。
【０００４】
現在市販される洗浄製品Megasol（商標）およびCitrikleen（商標）は、主たる有効成分としてｄ−リモネンを有する。両者とも洗浄特性を示すが、それらは、それらに関連する２つの欠点：つまりｄ−リモネンが、増感剤、または軽度〜中等度の皮膚、目および上気道刺激物質であり、そして臭気も有し多くの人は高濃度になると耐容できなくなる、という欠点を有する。更に、これらの現行のテルペン系溶媒は、「すすぎ可能」ではなく、つまりそれらは、滑り易さが残るため水で容易にすすぎ落とすことができず、これらの溶媒を利用する作業者への更なる安全性懸念（例えば、滑ること）を提起することになる。費用効果のある洗浄適用における性能を保持しながら、テルペン、例えばｄ−リモネンのレベルを下げることが、それゆえ望ましい。
【０００５】
つまり実質的により低い毒性、より低い可燃性、より高い生分解性、より高い引火点、低い蒸気圧、より低い臭気、および／またはより低いＶＯＣを有し、汚れたもしくは汚染された表面、特にタールサンド、ビチューメン、アスファルテンなど、またはそれらの組み合わせで汚れた表面を処置するのに適した、環境に優しい洗浄組成物が、求められている。
【発明の概要】
【発明が解決しようとする課題】
【０００６】
発明の概要
本発明は、洗浄適用のために現在入手可能な溶媒／配合剤に比較して高性能で環境に好ましい成分であるため、二塩基酸エステルを洗浄組成物中の溶媒または共溶媒として使用する。一実施形態において、本明細書に記載された配合剤は、任意の洗浄適用、詳細にはタールサンド、ビチューメン、アスファルテンなど、またはそれらの組み合わせのためのものである（本明細書では以後、「重油洗浄」と呼ばれる場合がある）。しかし、洗浄適用が、施設での適用、産業上の適用、または消費者による適用、例えば落書きの洗浄、塗装された基板の洗浄、プリンターインキなどのインキの洗浄、金属基板の洗浄、木材表面の洗浄、プラスチック基板の洗浄、しみの洗浄、織物の洗浄、産業上の手洗い、脱脂、塗料の剥離など、または任意のそれらの組み合わせにおいて用いられ得ることは、理解されよう。
【課題を解決するための手段】
【０００７】
一般に重油洗浄は、高荷重に耐える機械、例えば油田の整備に用いられる機械および設備、運送に用いられる貨物自動車、採鉱および削岩用設備などから、多くの場合土壌が混入した、タール、タールサンド、ビチューメン、アスファルトまたはアスファルテン汚染物質を除去するために必要とされている。例えば原油は、設備、運搬船、掘削装置などの表面で乾燥して（または揮発性物質を失って）、高アスファルテン濃度の重油残渣を残留させる場合がある。別の例として、タールサンドは、抽出および運搬の際に採鉱設備、例えば貨物自動車に堆積する。タールサンドに加えて、泥および石灰（粉塵抑制に用いられる）も、設備の表面に蓄積して、混合塊を形成する。この継続的な堆積および反復して焼成された塊は、十分な運転を妨げるレベルに達すれば除去されなければならない。通常、洗浄剤をこの半焼成塊に塗布し、一定期間浸漬させるが、浸漬時間により通常の運転が遮断される可能性がある。設定時間（例えば、２０分間以上）の後、それは強力な水噴射で噴霧除去される。
【０００８】
本明細書に記載された重油洗浄組成物中で用いられる二塩基酸エステル溶媒は、Health, Safety, Environmental（ＨＳＥ）プロファイルの改善も示す。それらは、即座に生分解可能で非可燃性（高引火点）、非毒性、非刺激性の非増感剤である。それらは、低粘度を保持しながら、低蒸気圧（ＣＡＲＢ  ３１０およびＥＵ  １９９９／１３／ＥＣにより非ＶＯＣ）および高沸点も有する。それらは、軽度／中等度の臭気を有する。環境に優しいまたは「環境保護的」溶液が急がれる中、記載された溶媒のこれらの特性により、それらは家庭でのケアおよびパーソナルケアから施設用洗浄剤までの範囲での適用にとって、または安全性が主要とされる工業的工程にとって魅力的である。しかし、先に議論された通り、そのような低蒸気圧／ＶＯＣ環境保護溶媒は、溶媒が蒸発しないという問題も提起し、洗浄された表面に残留溶媒が残る可能性があり、幾つかの適用例では許容し得なくなる可能性がある。
【０００９】
別の態様において、テルペン溶媒エクステンダー（terpene solvent extender）（本明細書では以後、「溶媒エクステンダー」と呼ばれる場合がある）、例えば二塩基酸エステル組成物の特定のブレンドを、洗浄性能を保持または改善しながら、テルペン系溶媒の代用物、補助物質として、または低濃度のテルペン系溶媒（例えば、ｄ−リモネン）を送達するビヒクルとして使用する方法が、本明細書に記載される。意外にも、テルペン系溶媒を代替および／または補助する溶媒エクステンダーを含有することにより、低濃度での洗浄有効性が改善または保持され得ることが、発見された。加えて、溶媒エクステンダーの存在により、洗浄組成物の環境プロファイルの改善が提供され得る。「ｄ−リモネンエクステンダー」として本明細書に記載された二塩基酸エステル組成物のこの有用性により、配合担当者は、欠点の一部が軽減されるようにｄ−リモネンの濃度を適合させることができる。
【００１０】
したがって本明細書に記載された組成物は、低いテルペン溶媒濃度を有しながら組成物の有効性を改善または保持するテルペン溶媒エクステンダーを含む。典型的には該溶媒エクステンダーは、組成物の重量の約０．５％〜約６０％、典型的には約５％〜約５０％、より典型的には約１０％〜約４０％の範囲内の量で組み込まれる。
【００１１】
幾つかの実施形態において、本明細書に記載された重油洗浄配合剤は、マイクロエマルジョンであり、それは水中で油相を保持するのに撹拌を必要とする、乳濁していて不安定なエマルジョンとは異なり、熱力学的に安定していて透明のエマルジョンである。そのような油連続マイクロエマルジョン（oil-continuous microemulsion）の使用により、テルペンの濃度を更に低下させながら、洗浄される表面にテルペンが活発に送達される。
【００１２】
本発明は、以下の詳細な説明および実施例から明白となるが、それは一態様において、ａ）溶媒エクステンダーと；ｂ）少なくとも１種のテルペン系溶媒と；ｃ）少なくとも１種の界面活性剤と、を含む重油洗浄組成物を含む。一実施形態において、重油洗浄組成物は、場合により、ｉ）少なくとも１種のグリコールエーテルと、ii）少なくとも１種のアルカノールアミンと、iii）少なくとも１種のポリオールと、iv）少なくとも１種のスルホスクシナートと、ｖ）水、または成分ｉ）〜ｖ）の任意の組み合わせと、を含む。溶媒エクステンダーは、一実施形態において、ジアルキルメチルグルタラート、ジアルキルエチルスクシナート、および場合によりジアルキルアジパートを含む二塩基酸エステルのブレンドを含むことができる。
【００１３】
別の態様において、重油洗浄組成物は、ジアルキルメチルグルタラート、ジアルキルアジパート、ジアルキルエチルスクシナート、ジアルキルスクシナートおよび／またはジアルキルグルタラートのうちの少なくとも２つを含む溶媒エクステンダーと；ｂ）少なくとも１種のテルペンと；ｃ）少なくとも１種のグリコールエーテルと；ｄ）少なくとも１種のアルカノールアミンと；ｅ）少なくとも１種のポリオールと；ｆ）少なくとも１種のスルホスクシナートと、を含む。重油洗浄組成物は、水を更に含むことができる。一実施形態において、二塩基酸エステルのブレンドは、ジアルキルメチルグルタラート、ジアルキルアジパートおよびジアルキルエチルスクシナートを含む。別の実施形態において、二塩基酸エステルのブレンドは、ジアルキルメチルグルタラートおよびジアルキルエチルスクシナートを含む。
【００１４】
テルペンは、αピネン、βピネン、ｄ−リモネン、ｏｃ−ピネン、それらの誘導体および／または任意のそれらの組み合わせから選択することができる。グリコールエーテルは、アルキルグリコールエーテル、ジエチレングリコールブチルエーテル（ＤＧＢＥ）、エチレングリコールモノメチルエーテル（ＣＨ３ＯＣＨ２ＣＨ２ＯＨ）、エチレングリコールモノエチルエーテル（ＣＨ３ＣＨ２ＯＣＨ２ＣＨ２ＯＨ）、エチレングリコールモノプロピルエーテル（ＣＨ３ＣＨ２ＣＨ２ＯＣＨ２ＣＨ２ＯＨ）、エチレングリコールモノイソプロピルエーテル（（ＣＨ３）２ＣＨＯＣＨ２ＣＨ２ＯＨ）、エチレングリコールモノブチルエーテル（ＣＨ３ＣＨ２ＣＨ２ＣＨ２ＯＣＨ２ＣＨ２ＯＨ）、エチレングリコールモノフェニルエーテル（Ｃ６Ｈ５ＯＣＨ２ＣＨ２ＯＨ）、エチレングリコールモノベンジルエーテル（２−ベンジルオキシエタノール、Ｃ６Ｈ５ＣＨ２ＯＣＨ２ＣＨ２ＯＨ）、ジエチレングリコールモノメチルエーテル（ＣＨ３ＯＣＨ２ＣＨ２ＯＣＨ２ＣＨ２ＯＨ）、ジエチレングリコールモノエチルエーテル（ＣＨ３ＣＨ２ＯＣＨ２ＣＨ２ＯＣＨ２ＣＨ２ＯＨ）、ジエチレングリコールモノ−ｎ−ブチルエーテル（ＣＨ３ＣＨ２ＣＨ２ＣＨ２ＯＣＨ２ＣＨ２ＯＣＨ２ＣＨ２ＯＨ）および／または任意のそれらの組み合わせから選択することができる。アルカノールアミンは、トリエタノールアミン、ジエタノールアミン、モノエタノールアミン、および／または任意のそれらの組み合わせから選択することができる。
【００１５】
ポリオールは、トリオール、ジオール、グリセリン、ポリエーテルトリオール、ポリエチレングリコール、ポリプロピレングリコール、ポリ（テトラメチレンエーテル）グリコールおよび／または任意のそれらの組み合わせから選択することができる。スルホスクシナートは、アルキルスルホスクシナート、アルキルスルホン酸ナトリウム、ジアルキルスルホスクシナートおよび／または任意のそれらの組み合わせから選択することができる。
【００１６】
一実施形態において、二塩基酸エステルのブレンドは、
（ｉ）ブレンドの重量の約５〜２５％の、式：
【化１】
2013544947.tif 000003
で示される第一の二塩基酸エステルと；
（ii）ブレンドの重量の約７０〜９５％の、式：
【化２】
2013544947.tif 000004
で示される第二の二塩基酸エステルと；
（iii）ブレンドの重量の約０〜５％の、式：
【化３】
2013544947.tif 000005
（式中、Ｒ１およびＲ２は、個別に、Ｃ１〜Ｃ１３アルキル、Ｃ１〜Ｃ１３アリール、Ｃ１〜Ｃ１３アルカリール、Ｃ１〜Ｃ１３アルコキシ、Ｃ１〜Ｃ１３アルキルアリールアルキル、Ｃ１〜Ｃ１３アリールアルキル、Ｃ１〜Ｃ１３アルキルアミドアルキルまたはＣ１〜Ｃ１３アルキルアミノアルキルから選択される炭化水素基である）で示される第三の二塩基酸エステルと、
を含む。別の実施形態において、Ｒ１およびＲ２は、個別に、メチル、エチル、プロピル、イソプロピル、ｎ−ブチル、ペンチル、イソアミル、ヘキシル、ヘプチルまたはオクチルから選択される炭化水素基であってもよい。
【００１７】
一実施形態において、スルホスクシナートは、式（Ｉ）：
【化４】
2013544947.tif 000006
（式中、Ｒ２は、アルキル、−ＣＨ２ＣＨ２ＯＨ、アリール、アルカリール、アルコキシ、アルキルアリールアルキル、アリールアルキル、アルキルアミドアルキルおよびアルキルアミノアルキルからなる群より選択され；−−Ｍ＋−−は、水素、アルカリ金属、ナトリウム、カリウムまたはアンモニウム塩である）で示される。
【００１８】
一実施形態において、二塩基酸エステルのブレンドは、ジアルキルグルタラート、ジアルキルアジパートおよびジアルキルスクシナートを含む。請求項１３に記載の重油洗浄組成物は、グリコールエーテルがジエチレングリコールブチルエーテル（ＤＧＢＥ）である。一実施形態において、アルカノールアミンは、トリエタノールアミンである。一実施形態において、ポリオールは、ポリエーテルトリオールである。一実施形態において、スルホスクシナートは、ジオクチルスルホコハク酸ナトリウムである。
【００１９】
１つの特別な態様において、ａ）組成物の重量の約１％〜約５０％の、ジアルキルメチルグルタラート、およびジアルキルアジパートまたはジアルキルエチルスクシナートのうちの少なくとも１つを含む二塩基酸エステルのブレンドと；ｂ）組成物の重量の約１％〜約５０％の、少なくとも１種のテルペンと；ｃ）組成物の重量の約０％〜約７％の、少なくとも１種のグリコールエーテルと；ｄ）組成物の重量の約０％〜約７％の、少なくとも１種のアルカノールアミンと；ｅ）組成物の重量の約０％〜約７％の、少なくとも１種のポリオールと；ｆ）組成物の重量の約１％〜約３５％の、少なくとも１種のスルホスクシナートと；ｇ）組成物の重量の約１％〜約５０％の水と、を含む重油洗浄組成物が、本明細書に記載される。
【００２０】
別の態様において、ａ）組成物の重量の約１％〜約５０％の、ジアルキルメチルグルタラート、およびジアルキルアジパートまたはジアルキルエチルスクシナートのうちの少なくとも１つを含む二塩基酸エステルのブレンドと；ｂ）組成物の重量の約１％〜約６０％の、少なくとも１種のテルペン系溶媒と；ｃ）組成物の重量の約１％〜約６０％の、非イオン性、陽イオン性、陰イオン性、双性イオン性、または両性界面活性剤から選択される少なくとも１種の界面活性剤と、を含む重油洗浄組成物が、本明細書に記載される。
【００２１】
更に別の態様において、（ａ）本明細書に記載された洗浄組成物のいずれかを提供すること；（ｂ）洗浄組成物を重油で汚れた表面と接触させること；および（ｃ）噴霧洗浄により、表面から用いられた洗浄組成物を除去すること、を含む、１種以上の重油で汚れた表面を洗浄する方法が、本明細書に記載される。そのような実施形態において、表面から洗浄組成物および汚染物質を除去して、伝統的なテルペン系洗浄剤のような滑り易さまたはつるつるした感じを残さないようにするのに、すすぎだけを必要とする（擦り落としのような追加のステップおよび残された残留物を除去するステップとは異なる）。一実施形態において、汚れた表面を、本明細書に記載された重油洗浄組成物と最短で２０分間接触させ、その後、汚染された表面／洗浄組成物を、噴霧洗浄または水／流体／溶媒すすぎ、より典型的には強力なすすぎにより除去する。別の実施形態において、汚れた表面を、本明細書に記載された重油洗浄組成物と最短で１分間接触させる。更なる実施形態において、汚れた表面を、本明細書に記載された重油洗浄組成物と最短で５、１０または１５分間接触させる。
【００２２】
更なる態様において、混合物の汚染物質の除去速度が溶媒単独の除去速度以上になるような混合物を得るために、ａ）テルペン系溶媒を得るステップと；ｂ）テルペン系溶媒を担体液または溶媒エクステンダー（溶媒エクステンダーは、ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；ii）テルペンアルコキシラート、アルコールアルコキシラートおよび任意のそれらの組み合わせからなる群より選択される少なくとも１種の界面活性剤と；iii）水と、のマイクロエマルジョンを含む）と混合するステップと、を含む、低濃度の溶媒を送達する方法が、本明細書に記載される。幾つかの実施形態において、除去速度は、目視、画像解析、および／または重量分析法により測定することができる。汚染物質は、タールサンド、ビチューメン、アスファルテン、アスファルテン含有物質、それらの組み合わせなどであってもよい。
【００２３】
一実施形態において、テルペン系溶媒は、ｄ−リモネンを含む。更に別の実施形態において、二塩基酸エステルのブレンドは、ジアルキルメチルグルタラート、およびジアルキルアジパートまたはジアルキルエチルスクシナートのうちの少なくとも１つからなる群より選択される。
【００２４】
別の実施形態において、少なくとも１種の界面活性剤は、式：
【化５】
2013544947.tif 000007
（式中、Ｒ７は、水素、または炭素原子を約５〜約２５個含む分枝鎖もしくは直鎖炭化水素鎖であり；Ｒ８は、水素、または炭素原子を約１〜約５個含む炭化水素鎖であり；−−ｎ−−は、約１〜約３０の整数である）で示される。
【図面の簡単な説明】
【００２５】
【図１】本明細書に記載された重油洗浄組成物中へのビチューメンタールサンド（スチール中に圧縮）の溶解時間を、指標銘柄に対比させて示す。
【図２】本明細書に記載された洗浄組成物および指標銘柄に溶解されたタールサンドの百分比を示す。
【図３】セラミックタイル上に塗りたての原油を洗浄する際のｄ−リモネン配合剤（９２．５％ｄ−リモネン）とRhodiasolvInfinityとの有効性の比較を示す写真である。
【図４】塗りたての原油を洗浄する際の、RhodiasolvInfinityと１０％ｄ−リモネンまたは２５％ｄ−リモネンとのブレンドの有効性を示す写真である。
【図５】Rhodiasolv Infinityと１０％ｄ−リモネン（上の列）または２５％ｄ−リモネン（下の列）とのブレンドの希釈ラインを示す写真である。
【図６】塗りたての原油を洗浄する際の、１：９のｄ−リモネンとRhodiasolvInfinityのブレンド、または１：３のｄ−リモネンとRhodiasolv Infinityのブレンドの、水性希釈の有効性を示す写真である。
【図７】「乾燥した」原油の洗浄についての比較を示す写真である。ｄ−リモネン配合剤（９２．５％ｄ−リモネン）を、１：９、１：３および１：１レベルのｄ−リモネン／Infinityブレンドと比較する。更に右のパネル（上／下）は、乾燥した原油を洗浄する際の、水２０％を添加された１：３および１：１ブレンドの有効性を示す。
【発明を実施するための形態】
【００２６】
詳細な説明
本明細書で用いられる用語「アルキル」は、非限定的にメチル、エチル、ｎ−プロピル、イソプロピル、ｎ−ブチル、ｓｅｃ−ブチル、ｔ−ブチル、ペンチル、ｎ−ヘキシル、およびシクロヘキシルをはじめとする、飽和直鎖、分枝鎖または環式炭化水素基を意味する。
【００２７】
本明細書で用いられる用語「アリール」は、６員環炭素環を１つ以上含み、不飽和が３つの共役二重結合により表すことができ、環の炭素１つ以上がヒドロキシ、アルキル、アルケニル、ハロ、ハロアルキル、またはアミノで置換されていてもよい、一価不飽和炭化水素ラジカル、例えば非限定的にフェノキシ、フェニル、メチルフェニル、ジメチルフェニル、トリメチルフェニル、クロロフェニル、トリクロロメチルフェニル、アミノフェニル、およびトリスチリルフェニルを意味する。
【００２８】
本明細書で用いられる用語「アルキレン」は、二価飽和直鎖または分枝鎖炭化水素ラジカル、例えばメチレン、ジメチレン、トリメチレンを意味する。
【００２９】
本明細書で用いられる、有機基に関係する技術用語「（Ｃｒ〜Ｃｓ）」（ここでｒおよびｓは、それぞれ整数である）は、基が、基１つあたりに炭素原子をｒ〜ｓ個を含み得ることを示す。
【００３０】
本明細書で用いられる技術用語「界面活性剤」は、水性媒体に溶解されると水性媒体の表面張力を低下させる化合物を意味する。
【００３１】
本発明の洗浄組成物は、実質的により低い毒性、より低い可燃性、より高い生分解性、より高い引火点、低い蒸気圧およびより低い臭気、ならびにより低いＶＯＣのうちの１つまたは組み合わせをはじめとする所望の品質を有する。
【００３２】
二塩基酸エステルのブレンドを含む重油洗浄組成物が、本明細書に記載される。一実施形態において、該ブレンドは、アルコールおよび直鎖二酸の付加物を含み、該付加物は、式Ｒ１−ＯＯＣ−Ａ−ＣＯＯ−Ｒ２（式中、Ｒ１および／またはＲ２は、個別に、Ｃ１〜Ｃ１２アルキル、より典型的にはＣ１〜Ｃ８アルキルを含み、Ａは、−（ＣＨ２）４−と、−（ＣＨ２）３−と、−（ＣＨ２）２−と、の混合物を含む）を有する。別の実施形態において、Ｒ１および／またはＲ２は、個別に、Ｃ４〜Ｃ１２アルキル、より典型的にはＣ４〜Ｃ８アルキルを含む。一実施形態において、Ｒ１およびＲ２は、個別に、フーゼル油から発生する炭化水素基を含むことができる。一実施形態において、Ｒ１およびＲ２は、個別に、炭素原子を１〜８個有する炭化水素基を含むことができる。一実施形態において、Ｒ１およびＲ２は、個別に、炭素原子を５〜８個有する炭化水素基を含むことができる。
【００３３】
一実施形態において、該ブレンドは、アルコールおよび分枝鎖または直鎖二酸の付加物を含み、該付加物は、式Ｒ１−ＯＯＣ−Ａ−ＣＯＯ−Ｒ２（式中、Ｒ１および／またはＲ２は、個別に、Ｃ１〜Ｃ１２アルキル、より典型的にはＣ１〜Ｃ８アルキルを含み、Ａは、−（ＣＨ２）４−と、−ＣＨ２ＣＨ２ＣＨ（ＣＨ３）−と、−ＣＨ２ＣＨ（Ｃ２Ｈ５）−と、の混合物を含む）を有する。別の実施形態において、Ｒ１および／またはＲ２は、個別に、Ｃ４〜Ｃ１２アルキル、より典型的にはＣ４〜Ｃ８アルキルを含む。酸の部分が、そのような二塩基酸、例えばアジピン酸、コハク酸、グルタル酸、シュウ酸、マロン酸、ピメリン酸、スベリン酸およびアゼライン酸、ならびにそれらの混合物から誘導されてもよいことは、理解されよう。
【００３４】
本発明において用いられる１種以上の二塩基酸エステルは、任意の適当な方法により調製することができる。例えばアジピン酸およびフーゼル油の付加物を調製する方法は、例えば、Chuibaらの文書「The Use of Egyptian Fusel Oil for the Preparation of Some Plasticizers Compatible with Polyvinyl Chloride」、Indian Journal of Technology, Vol. 23、1985年8月, pp. 309-311に記載される。
【００３５】
本発明の二塩基酸エステルは、式ＨＯＯＣ−Ａ−ＣＯＯＨで示される二酸または式ＭｅＯＯＣ−Ａ−ＣＯＯＭｅで示されるジエステルと、分枝鎖アルコールまたはアルコール混合物との反応により、「エステル化」段階を含む方法により得ることができる。その反応は、適宜、触媒することができる。好ましくは、二酸またはジエステルあたり少なくとも２モル当量のアルコールを使用する。適切ならば、反応は、反応副生物の抽出、ならびにその後のろ過および／または例えば蒸留による精製の段階により、促進することができる。
【００３６】
詳細には混合物の形態の二酸は、詳細にはブタジエンの二重のヒドロシアノ化によるアジポニトリルの製造方法において製造および回収される、ジニトリル化合物の混合物から得ることができる。大規模に用いられて、世界中で消費されるアジポニトリルの大部分を工業的に製造するこの方法は、数多くの特許および文献に記載されている。ブタジエンのヒドロシアノ化の反応は、主に直鎖ジニトリルの形成をもたらすが、加えて分枝鎖ジニトリルの形成ももたらし、それらの２種の物質は、メチルグルタロニトリルおよびエチルスクシノニトリルである。分枝鎖ジニトリル化合物は、蒸留により分離されて、アジポニトリルの分離および精製の段階で、例えば蒸留塔の塔頂留分として、回収される。分枝鎖ジニトリルは、次に二酸またはジエステルに変換することができる（続いての、アルコールもしくはアルコール混合物もしくはフーゼル油とのエステル交換反応ではいずれも軽いジエステルに、あるいは直接、本発明によるジエステルに）。例えば二塩基酸エステルのブレンドは、アジポニトリルの製造においてメチルグルタロニトリル生成物ストリームから誘導または採取される。
【００３７】
本発明の二塩基酸エステルは、ポリアミド、例えばポリアミド６．６の製造において１種以上の副生物から誘導されてもよい。一実施形態において、洗浄組成物は、アジピン二酸、グルタル二酸、およびコハク二酸の直鎖または分枝鎖、環式または非環式の、Ｃ１〜Ｃ２０アルキル、アリール、アルキルアリールまたはアリールアルキルエステルのブレンドを含む。別の実施形態において、洗浄組成物は、アジピン二酸、メチルグルタル二酸、およびエチルコハク二酸の直鎖または分枝鎖、環式または非環式の、Ｃ１〜Ｃ２０アルキル、アリール、アルキルアリールまたはアリールアルキルエステルのブレンドを含む。
【００３８】
一般にポリアミドは、ジアミンとジカルボン酸とを反応させることにより形成された縮合反応により調製された共重合体である。具体的にはポリアミド６．６は、ジアミン、典型的にはヘキサメチレンジアミンをジカルボン酸、典型的にはアジピン酸と反応させることにより形成された縮合反応により調製された共重合体である。
【００３９】
一実施形態において、本発明のブレンドは、ポリアミドの製造において使用されるアジピン酸の反応、合成および／または製造における１種以上の副生物から誘導され、該洗浄組成物は、アジピン二酸、グルタル二酸、およびコハク二酸のジアルキルエステルのブレンド（本明細書において「ＡＧＳ」または「ＡＧＳブレンド」と呼ばれる場合がある）を含む。一実施形態において、エステルのブレンドは、ポリアミド、典型的にはポリアミド６．６の製造において使用されるヘキサメチレンジアミンの反応、合成および／または製造における副生物から誘導される。一実施形態において、二塩基酸エステルのブレンドは、アジポニトリルの製造におけるメチルグルタロニトリル生成物ストリームから誘導または採取され；該洗浄組成物は、メチルグルタル二酸、エチルコハク二酸、および場合によりアジピン二酸のジアルキルエステルのブレンド（本明細書において「ＭＧＡ」、「ＭＧＮ」、「ＭＧＮブレンド」、または「ＭＧＡブレンド」と呼ばれる場合がある）を含む。
【００４０】
本発明の二塩基酸エステルブレンドの沸点は、約１２０℃〜４５０℃の範囲内である。一実施形態において、本発明のブレンドの沸点は、約１６０℃〜４００℃の範囲内であり；一実施形態において、その範囲は、約２１０℃〜約２９０℃であり；別の実施形態において、その範囲は、約２１０℃〜２４５℃であり；別の実施形態において、その範囲は、約２１５℃〜２２５℃である。一実施形態において、本発明のブレンドの沸点範囲は、約２１０℃〜３９０℃であり、より典型的には約２８０℃〜３９０℃の範囲内であり、より典型的には約２９５℃〜３９０℃の範囲内である。一実施形態において、本発明のブレンドの沸点は、約２１５℃〜４００℃の範囲内、典型的には約２２０℃〜３５０℃の範囲内である。
【００４１】
一実施形態において、二塩基酸エステルのブレンドは、約３００℃〜３３０℃の沸点範囲を有する。典型的にはジイソアミルＡＧＳブレンドは、この沸点範囲に関連する。別の実施形態において、本発明の二塩基酸エステルブレンドは、約２９５℃〜３１０℃の沸点範囲を有する。典型的にはジ−ｎ−ブチルＡＧＳブレンドは、この沸点範囲に関連する。一般により高い沸点、典型的には２１５℃を超える、または高い沸点範囲は、ＶＯＣを低下させることに対応する。
【００４２】
二塩基酸エステルまたは二塩基酸エステルのブレンドは、一実施形態において、（ａ）アジピン二酸、グルタル二酸、およびコハク二酸のジアルキルエステルのブレンド、またはメチルグルタル二酸およびエチルコハク二酸（および場合によりアジピン二酸）のジアルキルエステルのブレンドと；（ｂ）少なくとも１種のテルペンと；（ｃ）少なくとも１種の界面活性剤、典型的には少なくとも１種の非イオン性界面活性剤と；場合により（ｄ）水または溶媒と、を含む、本発明の洗浄組成物に組み入れられる。非限定的に共溶媒および補助界面活性剤をはじめとする追加の成分が、添加されてもよい。補助界面活性剤は、任意の数の陽イオン性、両性、双性イオン性、陰イオン性または非イオン性界面活性剤、その誘導体、およびそのような界面活性剤のブレンドであってもよい。しかし、追加の成分を有する本発明の洗浄組成物が、依然として無限に希釈可能であり環境に優しいことは、理解されよう。
【００４３】
一実施形態において、非イオン性界面活性剤としては一般に、非限定的にアミド、例えばアルカノールアミド、エトキシル化アルカノールアミド、エチレンビスアミド；エステル、例えば脂肪酸エステル、グリセロールエステル、エトキシル化脂肪酸エステル、ソルビタンエステル、エトキシル化ソルビタン；エトキシラート、例えばアルキルフェノールエトキシラート、アルコールエトキシラート、トリスチリルフェノールエトキシラート、メルカプタンエトキシラート；エンドキャップされたＥＯ／ＰＣブロック共重合体、例えばエチレンオキシド／プロピレンオキシドブロック共重合体、塩素でキャップされたエトキシラート、四官能性ブロックコポリマー；アミンオキシド、例えばラウラミンオキシド、コカミンオキシド、ステアラミンオキシド、ステアラミドプロピルアミンオキシド、パルミタミドプロピルアミンオキシド、デシルアミンオキシド；脂肪アルコール、例えばデシルアルコール、ラウリルアルコール、トリデシルアルコール、ミリスチルアルコール、セチルアルコール、ステアリルアルコール、オレイルアルコール、リノレイルアルコールおよびリノレニルアルコール；アルコキシル化アルコール、例えばエトキシル化ラウリルアコール、トリデセスアルコール；ならびに脂肪酸、例えばラウリン酸、オレイン酸、ステアリン酸、ミリスチン酸、セテアリン酸（cetearic acid）、イソステアリン酸、リノール酸、リノレン酸、リシノール酸、エライジン酸、アラキドン酸、ミリストレイン酸、ならびに任意のそれらの組み合わせが挙げられる。
【００４４】
一実施形態において、非イオン性界面活性剤は、グリコール、例えばポリエチレングリコール（ＰＥＧ）、アルキルＰＥＧエステル、ポリプロピレングリコール（ＰＰＧ）およびその誘導体である。非イオン性界面活性剤は、１種以上の分枝鎖アルコールアルコキシラート、１種以上の直鎖アルコールアルコキシラート、または１種以上の分枝鎖アルコールアルコキシラートと１種以上の直鎖アルコールアルコキシラートとの組み合わせであってもよい。一実施形態において、非イオン性界面活性剤は、少なくとも１種の分枝鎖Ｃ５〜Ｃ２０アルコールブトキシラート、少なくとも１種の直鎖Ｃ５〜Ｃ２０アルコールブトキシラート、少なくとも１種の分枝鎖Ｃ５〜Ｃ２０アルコールプロポキシラート、少なくとも１種の直鎖Ｃ５〜Ｃ２０アルコールプロポキシラート、少なくとも１種の分枝鎖Ｃ５〜Ｃ２０アルコールエトキシラート、少なくとも１種の直鎖Ｃ５〜Ｃ２０アルコールエトキシラートおよび任意のそれらの組み合わせである。１つの例示的実施形態において、非イオン性界面活性剤は、Ｃ６〜Ｃ１３アルコールエトキシラート、より典型的にはＣ８〜Ｃ１２アルコールエトキシラートである。
【００４５】
一実施形態において、陽イオン性補助界面活性剤としては、非限定的に、第四級アンモニウム化合物、例えばセチルトリメチルアンモニウムブロミド（ＣＥＴＡＢまたはセトリモニウムブロミドとしても公知）、セチルトリメチルアンモニウムクロリド（セトリモニウムクロリドとしても公知）、ミリスチルトリメチルアンモニウムブロミド（ミルトリモニウムブロミドまたはQuaternium-13としても公知）、ステアリルジメチルジステアリルジモニウムクロリド、ジセチルジモニウムクロリド、ステアリルオクチルジモニウムメトスルファート、二水素化パルモイルエチルヒドロキシエチルモニウムメトスルファート、イソステアリルベンジルイミドニウムクロリド、ココイルベンジルヒドロキシエチルイミダゾリニウムクロリド、ジセチルジモニウムクロリドおよびジステアリルジモニウムクロリド、イソステアリルアミノプロパルコニウムクロリドまたはオレアルコニウムクロリド、ベヘントリモニウムクロリド、ならびにそれらの混合物が挙げられる。
【００４６】
別の実施形態において、陰イオン性補助界面活性剤としては、非限定的に、アルキルベンゼンスルホナート、αオレフィンスルホナート、パラフィンスルホナート、アルキルエステルスルホナート、アルキルスルファート、アルキルアルコキシスルファート、アルキルスルホナート、アルキルアルコキシカルボキシラート、アルキルアルコキシル化スルファート、モノアルキルホスファート、ジアルキルホスファート、サルコシナート、スルホスクシナート、イセチオナート、およびタウラート、ならびにそれらの混合物が挙げられる。本発明の組成物の陰イオン性界面活性剤成分として適している、一般に用いられる陰イオン性界面活性剤としては、例えば、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリン酸モノグリセリド硫酸ナトリウム（lauric monoglyceride sodium sulfate）、ラウリル硫酸ナトリウム、ラウレス硫酸ナトリウム、ラウリル硫酸カリウム、ラウレス硫酸カリウム、モノアルキルリン酸ナトリウム、ジアルキルリン酸ナトリウム  ラウロイルサルコシン酸ナトリウム、ラウロイルサルコシン、ココイルサルコシン、コシル硫酸アンモニウム、ラウリル硫酸アンモニウム、コシル硫酸ナトリウム、トリデセス硫酸ナトリウム、トリデシル硫酸ナトリウム、トリデセス硫酸アンモニウム、トリデシル硫酸アンモニウム、コシルイセチオン酸ナトリウム、ラウレススルホコハク酸二ナトリウム、メチルオレオイルタウリン酸ナトリウム（sodium methyl oleoyl taurate）、ラウレスカルボン酸ナトリウム、トリデセスカルボン酸ナトリウム、ラウリル硫酸ナトリウム、コシル硫酸カリウム、ラウリル硫酸カリウム、コシル硫酸モノエタノールアミン、トリデシルベンゼンスルホン酸ナトリウム、およびドデシルベンゼンスルホン酸ナトリウムが挙げられる。分枝鎖陰イオン性界面活性剤、例えばトリデセス硫酸ナトリウム、トリデシル硫酸ナトリウム、トリデセス硫酸アンモニウム、トリデシル硫酸アンモニウム、およびトリデセスカルボン酸ナトリウムが、特に好ましい。
【００４７】
使用に許容し得る両性補助界面活性剤としては、非限定的に、脂肪族第二級および第三級アミンの誘導体が挙げられ、その脂肪族ラジカルは、直鎖または分枝鎖であってもよく、脂肪族置換基の１つが、炭素原子を約８〜約１８個含み、１つが、陰イオン性水可溶化基を含む。適切な両性界面活性剤の特定の例としては、アルキルアンホカルボキシグリシナートおよびアルキルアンホカルボキシプロピオナート、アルキルアンホジプロピオナート、アルキルアンホジアセタート、アルキルアンホグリシナート、およびアルキルアンホプロピオナート、ならびにアルキルイミノプロピオナート、アルキルイミノジプロピオナート、およびアルキルアンホプロピルスルホナート、例えばココアンホアセタート、ココアンホプロピオナート、ココアンホジアセタート、ラウロアンホアセタート、ラウロアンホジアセタート、ラウロアンホジプロピオナート、ラウロアンホジアセタート、ココアンホプロピルスルホナート、カプロアンホジアセタート、カプロアンホアセタート、カプロアンホジプロピオナート、およびステアロアンホアセタートの、アルカリ金属塩、アルカリ土類金属塩、アンモニウム塩または置換されたアンモニウム塩が挙げられる。
【００４８】
適切な双性イオン性補助界面活性剤としては、非限定的に、アルキルベタイン、例えばココジメチルカルボキシメチルベタイン、ラウリルジメチルカルボキシメチルベタイン、ラウリルジメチルα‐カルボキシ‐エチルベタイン、セチルジメチルカルボキシメチルベタイン、ラウリルビス‐（２‐ヒドロキシ‐エチル）カルボキシメチルベタイン、ステアリルビス‐（２‐ヒドロキシ‐プロピル）カルボキシメチルベタイン、オレイルジメチルγ‐カルボキシプロピルベタイン、およびラウリルビス‐（２‐ヒドロキシプロピル）α‐カルボキシエチルベタイン、アミドプロピルベタイン、ならびにアルキルスルタイン、例えばココジメチルスルホプロピルベタイン、ステアリルジメチルスルホプロピルベタイン、ラウリルジメチルスルホエチルベタイン、ラウリルビス‐（２‐ヒドロキシ‐エチル）スルホプロピルベタイン、およびアルキルアミドプロピルヒドロキシスルタインが挙げられる。
【００４９】
一実施形態において、重油洗浄組成物は、ａ）ジアルキルメチルグルタラート、およびジアルキルアジパートまたはジアルキルエチルスクシナートのうちの少なくとも１つを含む二塩基酸エステルのブレンドと；ｂ）少なくとも１種のテルペンと；ｃ）場合により、少なくとも１種の界面活性剤と；ｄ）場合により、少なくとも１種のグリコールエーテルと；ｅ）場合により、少なくとも１種のアルカノールアミンと；ｆ）場合により、少なくとも１種のポリオールと；ｇ）場合により、少なくとも１種のスルホスクシナートと、ｈ）場合により、水と、を含む。
【００５０】
別の実施形態において、少なくとも１種の界面活性剤は、式：
【化６】
2013544947.tif 000008
（式中、Ｒ７は、水素、または炭素原子を約５〜約２５個含む分枝鎖もしくは直鎖炭化水素鎖であり；Ｒ８は、水素、または炭素原子を約１〜約５個含む炭化水素鎖であり；−−ｎ−−は、約１〜約３０の整数である）で示される。
【００５１】
テルペンは、αピネン、βピネン、ｄ−リモネン、ｏｃ−ピネン、それらの誘導体および／または任意のそれらの組み合わせから選択することができる。典型的にはテルペンは、αピネン、βピネンまたはｄ−リモネンである。
【００５２】
グリコールエーテルは、アルキルグリコールエーテル、ジエチレングリコールブチルエーテル（ＤＧＢＥ）、エチレングリコールモノメチルエーテル（ＣＨ３ＯＣＨ２ＣＨ２ＯＨ）、エチレングリコールモノエチルエーテル（ＣＨ３ＣＨ２ＯＣＨ２ＣＨ２ＯＨ）、エチレングリコールモノプロピルエーテル（ＣＨ３ＣＨ２ＣＨ２ＯＣＨ２ＣＨ２ＯＨ）、エチレングリコールモノイソプロピルエーテル（（ＣＨ３）２ＣＨＯＣＨ２ＣＨ２ＯＨ）、エチレングリコールモノブチルエーテル（ＣＨ３ＣＨ２ＣＨ２ＣＨ２ＯＣＨ２ＣＨ２ＯＨ）、エチレングリコールモノフェニルエーテル（Ｃ６Ｈ５ＯＣＨ２ＣＨ２ＯＨ）、エチレングリコールモノベンジルエーテル（２−ベンジルオキシエタノール、Ｃ６Ｈ５ＣＨ２ＯＣＨ２ＣＨ２ＯＨ）、ジエチレングリコールモノメチルエーテル（ＣＨ３ＯＣＨ２ＣＨ２ＯＣＨ２ＣＨ２ＯＨ）、ジエチレングリコールモノエチルエーテル（ＣＨ３ＣＨ２ＯＣＨ２ＣＨ２ＯＣＨ２ＣＨ２ＯＨ）、ジエチレングリコールモノ−ｎ−ブチルエーテル（ＣＨ３ＣＨ２ＣＨ２ＣＨ２ＯＣＨ２ＣＨ２ＯＣＨ２ＣＨ２ＯＨ）および／または任意のそれらの組み合わせから選択することができる。典型的にはグリコールエーテルは、ジエチレングリコールブチルエーテル（ＤＧＢＥ）である。
【００５３】
アルカノールアミンは、トリエタノールアミン、ジエタノールアミン、モノエタノールアミン、および／または任意のそれらの組み合わせ、典型的にはトリエタノールアミンから選択することができる。
【００５４】
ポリオールは、トリオール、ジオール、グリセリン、ポリエーテルトリオール、ポリエチレングリコール、ポリプロピレングリコール、ポリ（テトラメチレンエーテル）グリコールおよび／または任意のそれらの組み合わせから選択することができる。典型的にはポリオールは、ポリエーテルトリオールである。
【００５５】
スルホスクシナートは、アルキルスルホスクシナート、アルキルスルホン酸ナトリウム、ジアルキルスルホスクシナートおよび／または任意のそれらの組み合わせから選択することができる。一実施形態において、スルホスクシナートは、式（Ｉ）：
【化７】
2013544947.tif 000009
で示される。
【００５６】
先の構造において、Ｒ２は、アルキル、−ＣＨ２ＣＨ２ＯＨ、アリール、アルカリール、アルコキシ、アルキルアリールアルキル、アリールアルキル、アルキルアミドアルキルおよびアルキルアミノアルキルからなる群より選択される。Ｒ２がアルキルを表す実施形態において、その基は、典型的には炭素原子を約５〜約２０個有し、より典型的には炭素原子を約１０〜約１８個有する。Ｒ２がアリールを表す実施形態において、その基は、典型的にはフェニル、ジフェニル、ジフェニルエーテル、またはナフタレン部分を含む。「Ｍ」は、水素、アルカリ金属、例えばナトリウムもしくはカリウム、またはアンモニウム塩である。「Ｍ」は、典型的にはアルカリ金属、例えばナトリウムまたはカリウム、より典型的にはナトリウムである。
【００５７】
１つの特定の実施形態において、ａ）組成物の重量の約１％〜約５０％の（幾つかの実施形態において約１％〜約１５％の）、二塩基酸エステルのブレンド（一実施形態において、ジアルキルメチルグルタラート、およびジアルキルアジパートまたはジアルキルエチルスクシナートのうちの少なくとも１つを含む二塩基酸エステルのブレンド）と；ｂ）組成物の重量の約１０％〜約５０％の（幾つかの実施形態において約１％〜約４０％の）、少なくとも１種のテルペン系溶媒と；ｃ）組成物の重量の約０．１％〜約７％の、少なくとも１種のグリコールエーテルと；ｄ）組成物の重量の約０．１％〜約７％の、少なくとも１種のアルカノールアミンと；ｅ）組成物の重量の約０．１％〜約７％の、少なくとも１種のポリオールと；ｆ）組成物の重量の約１％〜約３５％の、少なくとも１種のスルホスクシナートと；ｇ）組成物の重量の約１％〜約６０％の（幾つかの実施形態において約１％〜約３０％の）水と、を含む重油洗浄組成物が、本明細書に記載される。
【００５８】
（ａ）本明細書に記載された洗浄組成物のいずれかを提供すること；（ｂ）洗浄組成物を重油で汚れた表面と接触させること；および（ｃ）噴霧洗浄により、表面から用いられた洗浄組成物を除去すること、を含む、１種以上の重油で汚れた表面を洗浄する方法も、本明細書に記載される。
【００５９】
別の態様において、テルペン濃度を低減した混合物の有効性および効率が、本明細書に記載された溶媒エクステンダーを有さない溶媒テルペン以上になるような混合物を得るために、ａ）テルペン系溶媒を得るステップと；ｂ）テルペン系溶媒を担体液（担体液は、ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；ii）テルペンアルコキシラート、アルコールアルコキシラートおよび任意のそれらの組み合わせからなる群より選択される少なくとも１種の界面活性剤と；iii）水と、のマイクロエマルジョンを含む）と混合するステップと、を含む、低濃度の溶媒を送達する方法が、本明細書に記載される。一実施形態において、テルペン系溶媒は、ｄ−リモネンを含む。一実施形態において、テルペン系溶媒は、ｄ−リモネンおよび水を含む。更に別の実施形態において、二塩基酸エステルのブレンドは、ジアルキルメチルグルタラート、およびジアルキルアジパートまたはジアルキルエチルスクシナートのうちの少なくとも１つからなる群より選択される。
【００６０】
前記洗浄組成物の実施形態に含まれ得る１種以上の共溶媒としては、非限定的に、飽和炭化水素溶媒、グリコールエーテル、脂肪酸メチルエステル、脂肪族炭化水素溶媒、非環式炭化水素溶媒、ハロゲン化溶媒、芳香族炭化水素溶媒、環式テルペン、不飽和炭化水素溶媒、ハロカーボン溶媒、ポリオール、エーテル、グリコールエステル、アルコール、ケトン、および任意のそれらの組み合わせが挙げられる。そのような共溶媒の添加は、組成物中の溶媒ブレンド：界面活性剤比が上昇させることができる。
【００６１】
一実施形態において、溶媒エクステンダーを含む二塩基酸エステルのブレンドは、（ａ）約７０〜９０％のジアルキルジメチルグルタラート、約５〜３０％ジアルキルエチルスクシナート、および約０〜１０％のジアルキルアジパートのブレンドと；（ｂ）ｉ）分枝鎖アルコールアルコキシラートまたは直鎖アルコールアルコキシラートまたはそれらの両方、を含む非イオン性界面活性剤組成物と；ｄ）水と、を含むマイクロエマルジョンである。各アルキル置換基は、個別に、メチル、エチル、プロピル、イソプロピル、ブチル、ｎ−ブチル、ペンチル、またはイソアミル基などの炭素原子を約１〜８個含む炭化水素基から選択される。場合により、１種以上の添加剤または追加の成分、例えば離層剤（deliminating agent）、緩衝剤および／またはｐＨ制御剤、芳香剤、不透明化剤、腐食防止剤、増白剤、消泡剤、染色剤、泡制御剤、安定化剤、増粘剤などを、該組成物に添加することができる。
【００６２】
本発明の一実施形態によれば、二塩基酸エステルのブレンドは、ポリアミド中の主なモノマーの１つであるアジピン酸を調製する際の１種以上の副生物に対応する。例えばジアルキルエステルは、一般に重量ベースで１５〜３３％のコハク酸、５０〜７５％のグルタル酸および５〜３０％のアジピン酸を含有する、１種の副生物のエステル化により得られる。別の実施例として、ジアルキルエステルは、一般に重量ベースで３０〜９５％のメチルグルタル酸、５〜２０％のエチルコハク酸および１〜１０％のアジピン酸を含有する、第二の副生物のエステル化により得られる。酸の部分が、そのような二塩基酸、例えばアジピン酸、コハク酸、グルタル酸、シュウ酸、マロン酸、ピメリン酸、スベリン酸およびアゼライン酸、ならびにそれらの混合物から誘導されてもよいことは、理解されよう。
【００６３】
幾つかの実施形態において、二塩基酸エステルのブレンドは、アルコールおよび直鎖二酸の付加物を含み、該付加物は、式Ｒ−ＯＯＣ−Ａ−ＣＯＯ−Ｒ（式中、Ｒは、エチルであり、Ａは、−（ＣＨ２）４−と、−（ＣＨ２）３−と、−（ＣＨ２）２−と、の混合物である）を有する。別の実施形態において、該ブレンドは、アルコール、典型的にはエタノールおよび直鎖二酸の付加物を含み、該付加物は、式Ｒ１−ＯＯＣ−Ａ−ＣＯＯ−Ｒ２（式中、Ｒ１および／またはＲ２の少なく一部は、炭素原子を４個有する少なくとも１種の直鎖アルコールの残基、および／または炭素原子を少なくとも５個有する少なくとも１種の直鎖もしくは分枝鎖アルコールの残基であり、Ａは、二価直鎖炭化水素である）を有する。幾つかの実施形態において、Ａは、−（ＣＨ２）４−、−（ＣＨ２）３−、および−（ＣＨ２）２−のうちの１種、またはそれらの混合物である。
【００６４】
別の実施形態において、Ｒ１および／またはＲ２基は、直鎖または分枝鎖、環式または非環式の、Ｃ１〜Ｃ２０アルキル、アリール、アルキルアリールまたはアリールアルキル基であってもよい。典型的にはＲ１および／またはＲ２基は、Ｃ１〜Ｃ８基、例えばメチル、エチル、ｎ−プロピル、イソプロピル、ｎ−ブチル、ｎ−アミル、ｎ−ヘキシル、シクロヘキシル、２−エチルヘキシルおよびイソオクチル基、ならびにそれらの混合物から選択される基であってもよい。例えばＲ１および／またはＲ２は、両者とも、または個別に、エチル基であってもよく、Ｒ１および／またはＲ２は、両者とも、または個別に、ｎ−プロピル基であってもよく、Ｒ１および／またはＲ２は、両者とも、または個別に、イソプロピル基であってもよく、Ｒ１および／またはＲ２は、両者とも、または個別に、ｎ−ブチル基であってもよく、Ｒ１および／またはＲ２は、両者とも、または個別に、イソアミル基であってもよく、Ｒ１および／またはＲ２は、両者とも、または個別に、ｎ−アミル基であってもよく、Ｒ１および／またはＲ２は、それらの混合物であってもよい（例えば、二塩基酸エステルのブレンドを含む場合）。
【００６５】
更なる実施形態において、本発明は、分枝鎖二酸の付加物を含み、該付加物は、式Ｒ３−ＯＯＣ−Ａ−ＣＯＯ−Ｒ４（式中、Ｒ３およびＲ４は、同一または異なるアルキル基であり、Ａは、分枝鎖または直鎖炭化水素である）を有する。典型的にはＡは、Ｃ４炭化水素の異性体である。例としては、Ｒ３および／またはＲ４が、直鎖または分枝鎖、環式または非環式の、Ｃ１〜Ｃ２０アルキル、アリール、アルキルアリールまたはアリールアルキル基となり得るものが挙げられる。典型的にはＲ３およびＲ４は、独立して、メチル、エチル、プロピル、イソプロピル、ブチル、ｎ−ブチル、イソブチル、イソアミル、およびフーゼルからなる群より選択される。
【００６６】
更なる実施形態において、本発明は、式Ｒ５−ＯＯＣ−Ａ−ＣＯＯ−Ｒ６（式中、基Ａは、典型的には炭素原子が平均で２．５〜１０個の範囲内の、二価アルキレン基を表す）で示されるジカルボン酸ジエステルに基づく組成物を含む。同一または異なっていてもよいＲ５およびＲ６基は、直鎖または分枝鎖、環式または非環式の、Ｃ１〜Ｃ２０アルキル、アリール、アルキルアリールまたはアリールアルキル基を表す。
【００６７】
反応体の混合物が用いられる場合には、該ブレンドは、複合的反応生成物に対応する可能性がある。例えばＨＯＯＣ−Ａａ−ＣＯＯＨとＨＯＯＣ−Ａｂ−ＣＯＯＨとの混合物と、アルコールＲａ−ＯＨとの反応は、生成物ＲａＯＯＣ−Ａａ−ＣＯＯＲａとＲａＯＯＣ−Ａｂ−ＣＯＯＲａとの混合物を与える可能性がある。同様に、ＨＯＯＣ−Ａａ−ＣＯＯＨと、アルコールＲａ−ＯＨとＲｂ−ＯＨとの混合物との反応は、生成物ＲａＯＯＣ−Ａａ−ＣＯＯＲａと、ＲｂＯＯＣ−Ａａ−ＣＯＯＲｂと、ＲａＯＯＣ−Ａａ−ＣＯＯＲｂと、ＲｂＯＯＣ−Ａａ−ＣＯＯＲａ（Ａａが対称でなければ、ＲａＯＯＣ−Ａａ−ＣＯＯＲｂとは異なる）との混合物を与える可能性がある。同様に、ＨＯＯＣ−Ａａ−ＣＯＯＨとＨＯＯＣ−Ａｂ−ＣＯＯＨとの混合物と、アルコールＲａ−ＯＨとＲｂ−ＯＨとの混合物との反応は、生成物ＲａＯＯＣ−Ａａ−ＣＯＯＲａと、ＲｂＯＯＣ−Ａａ−ＣＯＯＲｂと、ＲａＯＯＣ−Ａａ−ＣＯＯＲｂと、ＲｂＯＯＣ−Ａａ−ＣＯＯＲａ（Ａａが対称でなければ、ＲａＯＯＣ−Ａａ−ＣＯＯＲｂとは異なる）と、ＲａＯＯＣ−Ａｂ−ＣＯＯＲａと、ＲｂＯＯＣ−Ａｂ−ＣＯＯＲｂと、ＲａＯＯＣ−Ａｂ−ＣＯＯＲｂと、ＲｂＯＯＣ−Ａｂ−ＣＯＯＲａ（Ａｂが対称でなければ、ＲａＯＯＣ−Ａｂ−ＣＯＯＲｂとは異なる）との混合物を与える可能性がある。
【００６８】
基Ｒ１およびＲ２は、アルコールＲ１−ＯＨおよびＲ２−ＯＨ（それぞれ）に対応し得る。これらの基は、アルコールになぞらえることができる。基（複数を含む）Ａは、１種以上のジカルボン酸ＨＯＯＣ−Ａ−ＣＯＯＨに対応し得る。基（複数を含む）Ａは、対応する二酸になぞらえることができる（その二酸は、基Ａよりも２個多い炭素原子を含む）。
【００６９】
一実施形態において、基Ａは、平均で２個を超える炭素原子を含む二価アルキレン基である。それは、３以上の整数、例えば３または４個の炭素原子を有する１つの基であってもよい。そのような１つの基は、１つの酸の使用に対応し得る。しかし典型的にはそれは、化合物の混合物に対応する基の混合物に対応し、それら化合物の１つは、少なくとも３個の炭素原子を示す。基Ａの混合物は、同一数の炭素原子を含む異なる異性体基の混合物および／または異なる数の炭素原子を含む異なる基の混合物に対応し得る。基Ａは、直鎖および／または分枝鎖基を含み得る。
【００７０】
一実施形態によれば、基Ａの少なくとも一部は、式−（ＣＨ２）ｎ−（式中、ｎは、３以上の平均数である）で示される基に対応する。基Ａの少なくとも一部は、式−（ＣＨ２）４−で示される基であってもよい（対応する酸は、アジピン酸である）。例えばＡは、式−（ＣＨ２）４−で示される基、および／または式−（ＣＨ２）３−で示される基であってもよい。
【００７１】
一実施形態において、該組成物は、Ａが式−（ＣＨ２）４−で示される基である、式ＲＯＯＣ−Ａ−ＣＯＯＲで示される化合物、Ａが式−（ＣＨ２）３−で示される基である、式ＲＯＯＣ−Ａ−ＣＯＯＲで示される化合物、およびＡが式−（ＣＨ２）２−で示される基である、式ＲＯＯＣ−Ａ−ＣＯＯＲで示される化合物を含む。
【００７２】
二塩基酸エステルのブレンドは、典型的にはマイクロエマルジョン形態（水相中に分散した液滴）の洗浄組成物中に存在する。いずれかの理論に束縛されるのを望むものではないが、一般にマイクロエマルジョンが、一般には乳化剤を含む、熱力学的に安定したシステムであることが指摘され、つまりそれは最低のエネルギー状態であることを意味する。マイクロエマルジョンは、成分を一緒に緩やかに混合または緩やかに振とうすることにより調製することができる。他のエマルジョン（マクロエマルジョン）は、一般に熱力学的に不安定な状態のシステムであり（動力学的にのみ安定している）、特定の時間、準安定状態で乳化の間に加えられる機械的エネルギーを保持する。これらのシステムは一般に、少量の乳化剤を含む。
【００７３】
一実施形態において、本発明のマイクロエマルジョンは、平均液滴サイズが、一般に約０．１５μｍ以下のエマルジョンである。マイクロエマルジョンの液滴のサイズは、例えば以下に記載される通り、動的光散乱（ＤＬＳ）により測定されてもよい。用いられる装置は、例えばSpectra-Physics 2020レーザと、Brookhaven 2030相関器と、関連するコンピュータ装置とからなる。試料が濃縮されていれば、最終濃度２重量％を有するように脱イオン水で希釈され、０．２２μｍフィルターでろ過されてもよい。得られる直径は、見かけ上の直径である。測定は、９０°および１３５°の角度で実施される。このサイズの測定については、キュムラントによる標準的分析とは別に、自己相関関数の３つの活用法が用いられ（Pike教授により「Non Negatively Constrained Least Squares」に記載された指数関数的サンプリングもしくはＥＸＰＳＡＭ、またはＮＮＬＳ法、およびProvencher教授により記載されたＣＯＮＴＩＮ法）、これらはそれぞれ、質量または数ではなく、散乱強度が加重されたサイズ分布を与える。水の屈折率および粘度が、考慮される。
【００７４】
一実施形態によれば、マイクロエマルジョンは、透明である。例えばマイクロエマルジョンは、例えばLambda 40 UV-可視分光計を使用して測定すると、６００ｎｍの波長で、少なくとも９０％、好ましくは少なくとも９５％の透過率を有し得る。
【００７５】
別の実施形態によれば、エマルジョンは、平均液滴サイズが０．１５μｍ以上、例えば０．５μｍよりも大きく、または１μｍよりも大きく、または２μｍよりも大きく、または１０μｍよりも大きく、または２０μｍよりも大きく、好ましくは１００μｍ未満のエマルジョンである。液滴サイズは、光学顕微鏡および／またはレーザ粒度測定器（堀場製作所LA-910レーザ回折散乱式分析計）により測定されてもよい。
【００７６】
特定の実施形態において、二塩基酸エステルのブレンドは、式Ｉ：
【化８】
2013544947.tif 000010
で示されるジエステルと、式II：
【化９】
2013544947.tif 000011
で示されるジエステルと、式III：
【化１０】
2013544947.tif 000012
で示されるジエステルと、
を含む。
【００７７】
Ｒ１および／またはＲ２は、個別に、炭素原子を約１〜約８個有する炭化水素基、典型的にはメチル、エチル、プロピル、イソプロピル、ブチル、イソブチル、ｎ−ブチル、イソアミル、ヘキシル、ヘプチル、またはオクチルを含むことができる。そのような実施形態において、該ブレンドは、典型的には（ブレンドの重量の）（ｉ）約１５％〜約３５％の式Ｉで示されるジエステルと、（ii）約５５％〜約７０％の式IIで示されるジエステルと、（iii）約７％〜約２０％の式IIIで示されるジエステルと、を含み、より典型的には（ｉ）約２０％〜約２８％の式Ｉで示されるジエステルと、（ii）約５９％〜約６７％の式IIで示されるジエステルと、（iii）約９％〜約１７％の式IIIで示されるジエステルと、を含む。該ブレンドは、一般に９８℃の引火点、２０℃で約１０Ｐａ未満の蒸気圧、および約２００〜３００℃の蒸留温度範囲を特徴とする。Rhodiasolv（登録商標）RPDE (ニュージャージー州クランバリーのRhodia Inc.） Rhodiasolv（登録商標）DIB (ニュージャージー州クランバリーのRhodia Inc.)およびRhodiasolv（登録商標）DEE (ニュージャージー州クランバリーのRhodia Inc.)を挙げることができる。
【００７８】
別の特定の実施形態において、二塩基酸エステルのブレンドは、式IV：
【化１１】
2013544947.tif 000013
で示されるジエステルと、式Ｖ：
【化１２】
2013544947.tif 000014
で示されるジエステルと、式VI：
【化１３】
2013544947.tif 000015
で示されるジエステルと、
を含む。
【００７９】
Ｒ１および／またはＲ２は、個別に、炭素原子を約１〜８個含む炭化水素基、典型的にはメチル、エチル、プロピル、イソプロピル、ブチル、イソブチル、ｎ−ブチル、イソアミル、ヘキシル、ヘプチル、またはオクチルを含むことができる。そのような実施形態において、該ブレンドは、典型的には（ブレンドの重量の）（ｉ）約５％〜約３０％の式IVで示されるジエステルと、（ii）約７０％〜約９５％の式Ｖで示されるジエステルと、（iii）約０％〜約１０％の式VIで示されるジエステルと、を含む。より典型的には該ブレンドは、（ブレンドの重量の）（ｉ）約６％〜約１２％の式IVで示されるジエステルと、（ii）約８６％〜約９２％の式Ｖで示されるジエステルと、（iii）約０．５％〜約４％の式VIで示されるジエステルと、を含む。
【００８０】
最も典型的には該ブレンドは、（ブレンドの重量の）（ｉ）約９％の式IVで示されるジエステルと、（ii）約８９％の式Ｖで示されるジエステルと、（iii）約１％の式VIで示されるジエステルと、を含む。該ブレンドは、一般に９８℃の引火点、２０℃で約１０Ｐａ未満の蒸気圧、および約２００〜２７５℃の蒸留温度範囲を特徴とする。Rhodia Inc. により製造されたRhodiasolv（登録商標）IRISおよびRhodiasolv（登録商標）DEE/M(ニュージャージー州クランバリーのRhodia Inc.により製造）を挙げることができる。
【００８１】
別の実施形態において、該ブレンドは、式（Ｉ）で示されるジエステル、式（Ｉ）で示されるジエステル、式（II）で示されるジエステル、式（III）で示されるジエステル、式（IV）で示されるジエステル、および／または式（VI）で示されるジエステルのうちの１つ以上を含む。
【００８２】
一実施形態において、水は、非限定的に水道水、ろ過水、ボトル入りの水、湧水、蒸留水、脱イオン水、および／または工業用軟水を含むことができる。
【００８３】
別の実施形態において、溶媒は、非限定的に脂肪族または非環式炭化水素溶媒、ハロゲン化溶媒、芳香族炭化水素溶媒、グリコールエーテル、環式テルペン、不飽和炭化水素溶媒、ハロカーボン溶媒、ポリオール、エーテル、グリコールエーテルのエステル、単鎖アルコールをはじめとするアルコール、ケトン、またはそれらの混合物をはじめとする有機溶媒を含むことができる。
【００８４】
一実施形態において、追加の界面活性剤が、本発明において用いられてもよい。本発明のマイクロエマルジョンを調製するのに有用な界面活性剤は、１種以上の陰イオン性界面活性剤、陽イオン性界面活性剤、非イオン性界面活性剤、双性イオン性界面活性剤、両性界面活性剤であってもよい。
【００８５】
典型的には、非限定的にポリアルコキシル化界面活性剤、例えばアルコキシル化アルコール、アルコキシル化脂肪アルコール、アルコキシル化トリグリセリド、アルコキシル化脂肪酸、アルコキシル化ソルビタンエステル、アルコキシル化脂肪アミン、アルコキシル化ビス（１−フェニルエチル）フェノール、アルコキシル化トリス（１−フェニルエチル）フェノールおよびアルコキシル化アルキルフェノールから選択されるものを含む、非イオン性界面活性剤が用いられ、そのアルコキシの数、より詳細にはオキシエチレンおよび／またはオキシプロピレン単位の数は、ＨＬＢ値が１０以上になるように定められる。より典型的には非イオン性界面活性剤は、エチレンオキシド／プロピレンオキシド共重合体、テルペンアルコキシラート、アルコールエトキシラート、アルキルフェノールエトキシラートおよびそれらの組み合わせからなる群より選択することができる。
【００８６】
一実施形態において、本発明に関連して用いられるアルコールエトキシラートは、式：
【化１４】
2013544947.tif 000016
を有する。
【００８７】
典型的にはＲ７は、水素、または炭素原子を約５〜約２５個、より典型的には炭素原子を約７〜約１４個、最も典型的には炭素原子を約８〜約１３個含む炭化水素鎖であり、分枝鎖または直鎖、および飽和または不飽和であってもよく、水素、アルキル、アルコキシ、アリール、アルカリール、アルキルアリールアルキルおよびアリールアルキルからなる群より選択される。典型的には「ｎ」は、約１〜約３０の整数、より典型的には２〜約２０の整数、最も典型的には約３〜約１２の整数である。別の実施形態において、「ｎ」は、約３〜約１０の整数である。
【００８８】
別の実施形態において、非イオン性界面活性剤は、式：
【化１５】
2013544947.tif 000017
（式中、Ｒ７は、水素、または炭素原子を約５〜約２５個含む炭化水素鎖であり、Ｒ８は、水素、または炭素原子を約１〜約５個含む炭化水素鎖であり、「ｎ」は、約１〜約３０の整数、より典型的には２〜約２０の整数、最も典型的には約３〜約１２の整数である）を有する。別の実施形態において、「ｎ」は、約３〜約１０の整数である。
【００８９】
他の実施形態において、アルコールエトキシラートは、商品名Rhodasurf 91-6（ニュージャージー州クランバリーのRhodia Inc.により製造）として販売される。
【００９０】
更に別の実施形態において、用いられる非イオン性界面活性剤としては、非限定的に、オキシアルキレン（オキシエチレンおよび／またはオキシプロピレン）単位を２〜５０個含むポリオキシアルキレン化Ｃ６〜Ｃ２４脂肪族アルコール、詳細には炭素原子を１２個（平均）または１８個（平均）有するそれら（Antarox B12DF、Antarox FM33、Antarox FM63 およびAntarox V74、Rhodasurf ID 060、Rhodasurf ID 070 およびRhodasurf LA 42(ニュージャージー州クランバリーのRhodia Inc.）を挙げることができる）ならびにオキシアルキレン（オキシエチレンまたはオキシプロピレン）単位を１〜２５個含むポリオキシアルキレン化Ｃ８〜Ｃ２２脂肪族アルコールが挙げられる。
【００９１】
更なる実施形態において、界面活性剤は、テルペンアルコキシラートを含む。テルペンアルコキシラートは、再生可能な原材料から誘導されるテルペン系界面活性剤、例えばα−ピネンおよびβ−ピネンであり、Ｃ−９二環式アルキルの疎水性と、ブロック分布であるか、または親水性鎖に沿ってランダムもしくはテーパー分布が合体した、ポリオキシアルキレン単位と、を有する。テルペンアルコキシラート界面活性剤は、参照により本明細書に組み入れられた２００６年６月２２日に出願されたAdam alへの米国特許出願公開第２００６／０１３５６８３号に記載される。
【００９２】
更なる実施形態、または別の実施形態において、追加の成分または付加物が、本明細書の洗浄組成物に添加されてもよい。追加の成分としては、非限定的に、離層剤、緩衝剤および／またはｐＨ制御剤、芳香剤、香料、消泡剤、染色剤、増白剤、漂白剤、可溶化材料、安定化剤、増粘剤、腐食防止剤、ローションおよび／または鉱物油、酵素、曇点調節剤、防腐剤、イオン交換剤、キレート化剤、泡制御剤、汚染除去剤、柔軟剤、不透明化剤、不活性希釈剤、灰化防止剤（graying inhibitors）、安定化剤、ポリマーなどが挙げられる。
【００９３】
典型的には追加の成分は、１種以上の離層剤を含む。離層剤は、非限定的にピネンおよびピネン誘導体、ｄ−リモネン、ジペンテンおよびｏｃ−ピネンを含み得る特定のテルペン系誘導体であってもよい。
【００９４】
緩衝剤およびｐＨ制御剤としては、例えば有機酸、鉱酸、ならびにケイ酸、メタケイ酸、ポリケイ酸、ホウ酸、炭酸、カルバミン酸、リン酸、ポリリン酸、ピロリン酸、三リン酸、のアルカリ金属およびアルカリ土類金属塩、アンモニア、水酸化物、モノエタノールアミン、モノプロパノールアミン、ジエタノールアミン、ジプロパノールアミン、トリエタノールアミン、および／または２−アミノ−２−メチルプロパノールが挙げられる。
【００９５】
より具体的には緩衝剤は、所望のｐＨを保持するために用いられる洗剤、または低分子量の有機もしくは無機材料であってもよい。緩衝剤は、非限定的に２−アミノ−２−メチル−プロパノール；２−アミノ−２−メチル−１，３−プロパノール；グルタミン酸二ナトリウム；メチルジエタノールアミド；Ｎ，Ｎ−ビス（２−ヒドロキシエチル）グリシン；トリス（ヒドロキシメチル）メチルグリシン；カルバミン酸アンモニウム；クエン酸；酢酸；アンモニア；アルカリ金属炭酸塩；および／またはアルカリ金属リン酸塩であってもよい。
【００９６】
更に別の実施形態において、増粘剤は、用いられる場合には、非限定的にカシアガム、タラガム、キサンタンガム、ローカストビーンガム、カラギーナンガム、ガムカラヤ、ガムアラビック、ヒアルロン酸、スクシノグリカン、ペクチン、結晶性多糖類、分枝鎖多糖類、炭酸カルシウム、酸化アルミニウム、アルギン酸塩、グアーガム、ヒドロキシプロピルグアーガム、カルボキシメチルグアーガム、カルボキシメチルヒドロキシプロピルグアーガム、および他の変性グアーガム、ヒドロキシセルロース、ヒドロキシアルキルセルロース、例えばヒドロキシエチルセルロース、カルボキシメチルヒドロキシエチルセルロース、ヒドロキシプロピルセルロース、カルボキシメチルセルロース、および／または他の変性セルロースが挙げられる。更なる実施形態において、増白剤としては、非限定的に、過炭酸塩、過酸、過ホウ酸、塩素生成物質である過酸化水素、および／または過酸化水素系化合物が挙げられる。別の実施形態において、ポリマーは一般に、概ね２，０００，０００未満の重量平均分子量を有する水溶性または分散性ポリマーである。
【００９７】
二塩基酸エステルは、特定の条件下で加水分解を受けるため、二塩基酸エステルのブレンドが、微量のアルコール、典型的には約２〜約０．２％の濃度の低分子量アルコール、例えばエタノールを含有し得ることは、理解されよう。
【００９８】
濃縮形態または希釈形態のいずれかにおいて、本発明の組成物は、典型的には希釈形態で６ヶ月まで、またはそれを超えて、より典型的には１２ヶ月まで、またはそれを超えて安定しており、濃縮形態ではより長く安定している。
【００９９】
第一の態様において、本明細書に記載された配合剤は、タールサンドを溶解するために、マイクロエマルジョン中の共溶媒として、Rhodiasolv IRISおよびβピネンを用いる（しかし、βピネンがαピネン、ｄ−リモネンまたは他の天然テルペンと交換し得ることは、理解されよう）。αおよびβピネンは、ｄ−リモネンよりも良好な溶媒であるため、それらは、任意の激臭問題を回避するために低濃度で用いることができる。加えてαピネンは、ｄ−リモネンよりも健康被害が小さい。該配合剤の性能は、Megasolと同等またはより良好であるが、ｄ−リモネンの激臭または皮膚刺激作用を有さない。該配合剤は、水噴射を利用して採鉱設備を洗い流せるように、マイクロエマルジョンとして開発された。この作業は、ビチューメンタイプの洗浄剤が必要となり得る任意の領域、例えばアスファルトまたは油田の洗浄にも及ぶはずである。
【０１００】
本発明の一実施形態による組成物は、ａ）約１〜約９０重量％のテルペン系溶媒と；ｂ）約１〜約５０重量％の溶媒エクステンダーと、を含む。
【０１０１】
汚染された基板を洗浄し得るすすぎ可能な混合物を形成させるために、ａ）少なくとも１種のテルペン系溶媒を得るステップと；ｂ）テルペン系溶媒を、ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；ii）テルペンアルコキシラート、アルコールアルコキシラートおよび任意のそれらの組み合わせからなる群より選択される少なくとも１種の界面活性剤と；iii）水と、のマイクロエマルジョンを含む溶媒エクステンダーと混合するステップと、を含む、低いテルペン系溶媒濃度のテルペン系溶媒を調製する方法が記載される。
【０１０２】
同じく、ａ）ａ（ｉ））ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；ａ（ii））テルペンアルコキシラート、アルコールアルコキシラートおよび任意のそれらの組み合わせからなる群より選択される少なくとも１種の界面活性剤と；ａ（iii））水と、のマイクロエマルジョンを含む溶媒エクステンダーと；ｂ）少なくとも１種のテルペン系溶媒と；ｃ）水と、を含み、すすぎ可能である洗浄組成物が、本明細書に記載される。
【０１０３】
該混合物は、少なくとも１種のテルペン系溶媒対溶媒エクステンダーがそれぞれ１：５〜１：１である、テルペン系溶媒対溶媒エクステンダーの重量比を特徴とし得る。別の実施形態において、該混合物は、少なくとも１種のテルペン系溶媒対溶媒エクステンダーがそれぞれ１：３〜１：１である、テルペン系溶媒対溶媒エクステンダーの重量比を特徴とし得る。別の実施形態において、該混合物は、少なくとも１種のテルペン系溶媒対溶媒エクステンダーがそれぞれ１：２〜１：１である、テルペン系溶媒対溶媒エクステンダーの重量比を特徴とし得る。
【０１０４】
同じく、（ａ）本明細書に記載された洗浄組成物を提供すること；（ｂ）洗浄組成物を、タールサンド、ビチューメン、アスファルテン、油、または任意のそれらの組み合わせを含む汚染物質で汚れた表面に接触させること；および（ｃ）すすぎにより、表面から汚染物質を除去すること、を含む、タールサンド、ビチューメン、アスファルテン、油、または任意のそれらの組み合わせで汚れた表面を洗浄する方法が、本明細書に記載される。
【０１０５】
同じく、ａ）少なくとも１種のテルペン系溶媒と；ｂ）ｉ）ジアルキルメチルグルタラート、ジアルキルアジパート、ジアルキルエチルスクシナート、ジアルキルスクシナート、ジアルキルグルタラートおよび任意のそれらの組み合わせからなる群より選択される二塩基酸エステルのブレンドと；ii）テルペンアルコキシラート、アルコールアルコキシラートおよび任意のそれらの組み合わせからなる群より選択される少なくとも１種の界面活性剤と；iii）水と、のマイクロエマルジョンを含む溶媒エクステンダーと；ｃ）少なくとも１種のグリコールエーテルと；ｄ）少なくとも１種のアルカノールアミンと；ｅ）少なくとも１種のポリオールと；ｆ）少なくとも１種のスルホスクシナートと；ｇ）場合により水と、を含むすすぎ可能な重油洗浄組成物が、本明細書に記載される。
【０１０６】
実施例１
全ての作業を、典型的な工業的洗浄剤であるｄ−リモネン系Megasolに対比させて評価した。最初の作業は、有効成分の１つとしてDIBに照準を合わせたが、結局はIRIS系配合剤を含めた。Megasolを超えた洗浄の改善を示したDIB系配合剤を、以下に列挙する。
【表１】
2013544947.tif 000018
【表２】
2013544947.tif 000019
【表３】
2013544947.tif 000020
【０１０７】
これらの配合剤の結果は、図１に見ることができる。
【０１０８】
R0690-194-08およびR0690-194-08は両者とも、ビチューメンについて最小の溶解時間を有する。幾つかの例において、より高い水分量が、コスト削減のために望ましい。以下の配合剤は、確かに３０％の合計水分量を有する（注：Pentex 99も水を有し、それを添加して合計３０％に到達させる）。
【表４】
2013544947.tif 000021
【表５】
2013544947.tif 000022
【０１０９】
図１および２を参照すると、図は、IRIS配合剤を用いて採鉱設備の表面に形成したビチューメン／汚泥／石灰の堆積を溶解する方法を示す。同じく、粗テルペン画分が、ピネンで置き換わると、得られた配合剤は、ビチューメンをMegasolよりも急速に（約２分間）溶解することができる。
【０１１０】
これらの結果は、アスファルト洗浄または任意のビチューメン系洗浄適用に用いることができる。それは、グリースおよび油の浄化にも拡大することができる。
【０１１１】
実施例２：低濃度の洗浄溶媒を送達するビヒクル／担体／エクステンダー
図３に示す通り、塗りたての原油の試料を、ｄ−リモネン配合剤と対比させながら、本明細書に記載されたもの（Rhodiasolv Infinity）について検査した。これらの実施例の目的として、Rhodiasolv Infinityは、組成物の重量の約３０〜６０％の、ジアルキルメチルグルタラート、およびジアルキルアジパートまたはジアルキルエチルスクシナートのうちの少なくとも１つを含む二塩基酸エステルのブレンドと；組成物の重量の約３０〜６０％のＣ５〜Ｃ２０アルコールエトキシラートと；組成物の重量の約５％未満のポリエチレングリコールと；組成物の重量の約５〜１０％のテルペンと、を含む。
【０１１２】
原油の２つの線をタイル上に塗布して、換気フード内で３〜４時間だけ乾燥させ（図３、４、および６）、それを「塗りたての原油」と呼んだ。以下の実施例で用いられたｄ−リモネン配合剤を非イオン性界面活性剤と配合させ、つまり９２．５％ｄ−リモネンと７．５％Rhodasurf DA-630とを配合させた。手順は以下のとおりである：
ｉ）各線に配合剤を２回噴霧し、その後
ii）各線を水で軽くすすぐ。
【０１１３】
ｄ−リモネン配合剤は、原油を効率的に溶解するが（左パネル）、Rhodiasolv Infinityは、塗布されると核を形成し、窪みを作って、原油の表面から水分を奪う（de-wets）こと（中央パネル）が観察された。水でのすすぎにより、ｄ−リモネン配合剤で洗浄されたタイルの側がより容易にすすぎ落されたことが示される（右パネル）。
【０１１４】
タイルに塗りたての原油について図４に示す通り、ｄ−リモネン（１０％および２５％のみ）を添加したInfinityは、ｄ−リモネン配合剤と同様に塗りたての原油を溶解する。原油の幾つかの凝集物が、除去されることも観察された。各ブレンドが、透明の濃縮物を与えることが観察された。水でのすすぎは、ｄ−リモネン配合剤単独と同様またはそれ以上に、表面から原油を容易に除去するようようである。
【０１１５】
図５は、Rhodiasolv Infinityと１０％ｄ−リモネンとのブレンド（上の列）、またはInfinityと２５％ｄ−リモネンとのブレンド（下の列）の希釈ラインを示す。水を添加すると、先の透明ブレンドが１０％添加水で混濁し、その後、透明の安定したマイクロエマルジョンになった。Infinity＋１０％ｄ−リモネンは、８０％水に希釈され、Infinity＋２５％ｄ−リモネンは、５０％添加水に希釈され、安定した透明のエマルジョンを与えることができる。
【０１１６】
図６は、塗りたての原油を洗浄する際の、ｄ−リモネンとRhodiasolv Infinityとの１：９ブレンド、またはｄ−リモネンとRhodiasolv Infinityとの１：３ブレンドの水性希釈の有効性を示す。１：９ブレンドおよび１：３ブレンドを、２５％添加水および５０％添加水で希釈する。洗浄溶液の最終組成物を、図６のタイルに標識する。添加水（２５％または５０％）により、ｄ−リモネンとInfinityとの１：３ブレンドが、塗りたての原油を洗浄するのにまずまず効果的であることが見いだされた。
【０１１７】
図７は、「乾燥した」原油の洗浄についての比較を示す。タイル上に２本の線の原油を塗布して、それらを換気フード内で２週間風乾させることにより、乾燥した原油のパネルを準備した。乾燥工程により原油から揮発物を全て蒸発させると、アスファルテンまたはビチューメンを多く含む重い画分が残留する。ｄ−リモネン配合剤（９２．５％ｄ−リモネン）を、１：９、１：３および１：１レベルのｄ−リモネン／Infinityブレンドと比較する。上の列は、「乾燥した」原油の線に塗布された洗浄溶液についてである。下の列は、水ですすいだ後の、対応する上の列の同じパネルについてである。１：９および１：３ブレンドは、「乾燥した」原油に対してわずかな影響を有するようである。しかし、１：１ブレンドは、乾燥した原油の溶解について有意な影響を有すると思われる。更に１：１ブレンドは、流れ落ちると、タイルから原油の水分を奪うようである。これにより、表面を容易にすすぐことができ、実質的に低いｄ−リモネン含量で効果的洗浄が示された。更に右のパネル（上／下）は、乾燥した原油の洗浄における、２０％水を添加されたた１：３ブレンドおよび１：１ブレンドの有効性を示す。２０％の添加水を有する１：１ブレンドは、類似の挙動を示しており、水で希釈された油連続マイクロエマルジョンとしての更に低レベルのｄ−リモネンで有効性が示される。
【０１１８】
それゆえ本発明は、目的を実施し、言及された最終物および利益、ならびにそこに本来から備わる他のものを実現するのに良好に適用される。本発明が図示および記載され、本発明の特定の好ましい実施形態を参照して定義されるが、そのような参照は本発明の限定を意味せず、そのような限定を推測すべきではない。結論として本発明は、添付された特許請求の範囲の趣旨および範囲によってのみ限定されるものとし、全ての事柄に関する同等物に完全な認識が与えられる。
【図１】
2013544947.tif 000031
【図２】
2013544947.tif 000032
【図３】
2013544947.tif 000033
【図４】
2013544947.tif 000034
【図５】
2013544947.tif 000035
【図６】
2013544947.tif 000036
【図７】
2013544947.tif 000037
【国際調査報告】
2013544947.tif 000038
2013544947.tif 000039
2013544947.tif 000040